(57)【要約】  本発明は、製品を輸送するのに用いられる積み重ね可能なコンテナを形成する装置に関する。当該装置は、主にプラスチック材から作られ、互いに封止固定された底部（３）と４つの側壁（６、８）と上壁とを規定するクレート（１）を形成する部分と、上記クレートを封止閉鎖し、閉められると上記クレートとともに封止された箱を形成するドア（２）と、閉鎖された上記箱に含まれる気体を吸気かつ圧縮するシステム（１１）と、吸気かつ圧縮された上記気体を収容し、上記箱にしっかりと固定され、輸送中は固定枠を形成し、上記コンテナが水に浸かると浮標を形成する少なくとも１つの気密ケーシング（１３）とを備える。
2018512346.tif 000002
【特許請求の範囲】
【請求項１】
製品を輸送するのに用いられる積み重ね可能なコンテナを形成する装置であって、
主にプラスチック材から作られ、互いに封止固定された底部と４つの側壁（６、８）と上壁とを規定するクレート（１）を形成する部分と、
上記クレートを封止閉鎖し、閉められると上記クレートとともに封止された箱を形成するドア（２）と、
閉鎖された上記箱に含まれる気体を吸気かつ圧縮するシステム（１１）と、
吸気かつ圧縮された上記気体を収容し、上記箱に固定され、輸送中は固定袋を形成し、上記コンテナが水に浸かると浮標を形成する少なくとも１つの気密ケーシング（１３）とを備えることを特徴とする装置。
【請求項２】
閉鎖された上記箱に含まれる上記気体を吸気かつ圧縮する上記システム（１１）および／または吸気かつ圧縮された上記気体を収容する密封された上記ケーシング（１３）が、上記箱内に配置されていることを特徴とする請求項１に記載の装置。
【請求項３】
密封された上記ケーシング（１３）は、上記ケーシング（１３）が一旦膨張すると輸送される上記製品を止めるための手段として役立つことができる上記箱の内部空間の領域に、固定されていることを特徴とする請求項２に記載の装置。
【請求項４】
密封された収容用の上記ケーシング（１３）は、上記箱内に着脱可能に固定されていることを特徴とする請求項１〜３のいずれか１項に記載の装置。
【請求項５】
上記気体を吸気かつ圧縮する上記システム（１１）によって吸気された上記気体を分析する分析器（９０）を備えることを特徴とする請求項１〜４のいずれか１項に記載の装置。
【請求項６】
吸気された上記気体の分析（９０）の結果と、中毒性物質等の既知の標準成分の存在および／または人の存在下における同様の状況下で得られた分析結果をリスト化したデータベースとを比較するユニットを備えることを特徴とする請求項５に記載の装置。
【請求項７】
上記箱の底壁（３）は、統合された重量センサ（９２）を備えることを特徴とする請求項１〜６のいずれか１項に記載の装置。
【請求項８】
上記コンテナの上記クレートは、成形によって得られたものであることを特徴とする請求項１〜７のいずれか１項に記載の装置。
【請求項９】
上記クレートは、材料を中空の平行六面体形状に成形することによって一体成形物として形成されている、または、
上記クレートは、組み立てを可能にする封止結合部を上記側壁と上記底部との間に規定する平面形状に材料を成形することによって得られた複数の壁を集めて、平行六面体形状に組み立て、そして封止結合部によって連結されていない隣り合う壁同士を封止固定することによって形成されていることを特徴とする請求項８に記載の装置。
【請求項１０】
上記箱は、少なくとも上記上壁にソーラーパネル（１４）を備えることを特徴とする請求項８または９に記載の装置。
【請求項１１】
上記コンテナの積み上げを可能にする複数のコーナー部（９）、および／または、
ひずみ計等の重量センサ（９２）、および／または、
ソーラーパネル（９３）を連結するシステムを備え、
上記コーナー部、上記計器または上記システムは、上記クレートと共成形またはオーバーモールディング成形されることを特徴とする請求項１〜１０のいずれか１項に記載の装置。
【請求項１２】
上記ドアは、成形によって得られ、
上記ドアにちょうつがいをつけるための枠（５１）は、上記ドアと共成形またはオーバーモールディング成形されることを特徴とする請求項１〜１１のいずれか１項に記載の装置。
【請求項１３】
上記箱の上記内部空間にアクセスするための外部ハッチ（５０）を備えることを特徴とする請求項１〜１２のいずれか１項に記載の装置。
【請求項１４】
上記箱の上記複数の壁は、プラスチック材、プラスチックと金属との複合材、またはプラスチック材を基とする環境に配慮した材料から形成されることを特徴とする請求項１〜１３のいずれか１項に記載の装置。
【請求項１５】
上記プラスチック材は、発泡ポリスチレンまたはポリスチレン発泡体からなるタイプのポリマー、ポリウレタン、ポリスチレン、エポキシ樹脂、低濃度ポリエチレン、高濃度ポリエチレン、超高モル質量を有する超高分子量ポリエチレン（ＵＨＭＰＥ）、ポリフェニレンスルフィド、ポリエーテルエーテルケトン（ＰＥＥＫ）、または生体高分子によって形成されることを特徴とする請求項１４に記載の装置。
【請求項１６】
上記箱の上記複数の壁を構成する上記材料は、ガラス繊維、炭素繊維、黒鉛繊維、ガラス織物、またはエポキシ樹脂織物で補強され、または臭素で補強され、あるいは抗紫外線処理されることを特徴とする請求項１４または１５に記載の装置。
【請求項１７】
上記クレートの上記底部は、木材から、または木材繊維に用いられるプラスチック樹脂を含む複合木材から形成されることを特徴とする請求項１〜１６のいずれか１項に記載の装置。
【請求項１８】
封止された上記箱は、上記箱の上記複数の壁を形成するパネルが固定される梁および横材（５３、５４、５５）によって形成される金属の枠組み（５２）を含むことを特徴とする請求項１〜１７のいずれか１項に記載の装置。
【請求項１９】
上記箱は、上記ドアにちょうつがいをつけるための複数の枠（５１）であって、金属、セラミック、または剛性プラスチック材からできた複数の枠を含むことを特徴とする請求項１〜１８のいずれか１項に記載の装置。
【請求項２０】
上記箱は、上記コンテナを、別のコンテナにしっかりと固定しかつ／または別のコンテナの上に積み上げられるようにする複数のコーナー部であって、金属、セラミック、または剛性プラスチック材からできた複数のコーナー部を含むことを特徴とする請求項１〜１９のいずれか１項に記載の装置。
【請求項２１】
気密な上記ケーシング（１３）は、製品を保管するための内部空間を規定する主部（８１）と、上記主部に固定された複数の区画化挿入物（８３）を設けられ、壊れやすい製品を保管するための複数の区画をともに規定する副部（８２）とを備えることを特徴とする請求項１〜２０のいずれか１項に記載の装置。
【請求項２２】
上記複数の挿入物は、吸気かつ圧縮された気体を収容する複数の気密ケーシングからなることを特徴とする請求項２１に記載の装置。
【請求項２３】
上記複数の挿入物は、区画を規定するその内側面に、壊れやすい製品を保護するための、ネオプレン類でできた保護材（８４）を含むことを特徴とする請求項２１または２２に記載の装置。
【発明の詳細な説明】
【発明の詳細な説明】
【０００１】
［技術分野］
本発明の対象は、梱包された固形製品またはドライバルクの固形製品を保管および輸送するための複合一貫輸送用コンテナである。
【０００２】
当該複合一貫輸送用コンテナは、内側に木製床を備え、規格化され、物を保管および輸送するために使用され、例えば住居として再利用できる一般的にスチール製の（好ましくは、平行六面体の）箱である（図１〜図５参照）。
【０００３】
コンテナに入れられた物を複合一貫輸送するためのシステムは、世界的規模のものであり、安全かつ効果的な物流を可能にする。
【０００４】
「複合一貫輸送」とは、積み荷をほどくことなく、つまりコンテナの中身を降ろして別のコンテナに積み直すことなく、コンテナをある輸送手段から別の輸送手段（海上輸送、河川輸送、鉄道輸送、トラック輸送）へ移動できることを意味する。
【０００５】
各コンテナは、ＩＳＯ６３４６に定められた独自の識別記号を有している。一般的に、コンテナの長さは８フィート（２．４３８メートル）から５６フィート（１７．０７メートル）で、高さは８フィート（２．４３８メートル）から９フィート６インチ（２．９メートル）である。
【０００６】
コンテナの容量は、２０フィートのに相当する単位（標準長さ６．１０メートル×標準幅２．４４メートルの容量）で表されることが多い。
【０００７】
上記コンテナは、トラック、鉄道、船舶および／または平底荷船で輸送できるように、製造時に効力がある、例えば、輸送等に関するＩＳＯ基準に適合しなければならないため、以後「ＩＳＯコンテナ」と称する。（１０フィート、２０フィート、３０フィートおよび４０フィートのコンテナを規定する）ＩＳＯ６６８：１９９５も参照できる。
【０００８】
これは、コンテナは１９５６年にマルコム・マクリーンによって発明されて以来殆ど変わっていないからである。
【０００９】
最も広く使われている２０フィートコンテナは、封止により完全に密閉かつ防水されており、少なくとも１つのドアを備えた複数の剛壁を備えている。当該２０フィートコンテナは、温度調節の必要がない固形物品、穀物、および粉末を輸送するのに一般的に用いられる。当該２０フィートコンテナはさらに、化学製品、電子機械、工芸品、薬品、日用品、機器部品、および織物を中に入れて輸送するのにも使われる場合もある。高い付加価値を付けて製造された多くの流通製品は、コンテナで移動する。
【００１０】
固形物品用のステンレス製コンテナは、高強度で、耐さび・耐腐食性が良好という長所を有する。しかし、大きな投資を要するため一般的でない。
【００１１】
固形物品用のコンテナは、以下の２つの類型に沿ってアルミ製であってもよい。
・一方の類型は、スチール製の枠とアルミ板とでできたものである。
・他方の類型は、枠の端部のみがスチール製で、それ以外の部分は全てアルミでできたものである。
【００１２】
アルミ製のコンテナは、軽量で、空輸コンテナに多い。また、アルミ製のコンテナは、優れた耐さび性、美しい外見、良好な弾性を有する。他方で、製造コストが高く、強度が十分でない。
【００１３】
最も一般的なコンテナは、腐食しにくく修理しやすい材料であるコールテン鋼製である。
【００１４】
従来のコンテナは、以下に記載の様々な害や制約をもたらす。
【００１５】
‐海洋汚染
コンテナ輸送船が難破した場合、コンテナの中身や保護塗装膜／塗料が海に流れ出す場合がある。この場合、それらが海洋動植物にとって有毒であれば、それらが平らであると単純に海に存在するだけで、航海に危険を及ぼし、海に沈んで回収できなくなると未知の期間海洋動植物に害をもたらす。
【００１６】
‐地球汚染
荷重分散不良および／またはコンテナの過積載が原因で、トラックのトレーラーであれば高速道路で横転したり、貨車であれば線路上で横転したり、河川輸送の平底荷船や船舶であれば積み上げられたコンテナが河川に落下したりする場合がある。この場合、事故を引き起こすだけでなく地球の河川汚染、最終的には海洋汚染を引き起こす。
【００１７】
‐労働者および消費者への健康被害
燻蒸消毒用の気体、つまり、コンテナの木製床および／または輸送される製品に含まれる有害生物を駆除するために用いられる気体は、（シアン化水素酸、臭化メチル、水酸化リン等であれば）吸い込むと人間にとって特に有害であり、また、（ブロモメタン、ベンゼン、あるいは１，２‐ジクロロエタンであれば）発癌性を有する。
【００１８】
しかしながら、燻蒸消毒は、輸送による有害成分の伝播を防ぐために必須のようである。
【００１９】
これらの燻蒸消毒用の気体が、その存在の表示なく、コンテナに含まれていることがあり、その結果、非常に多くの労働者が、前もってそのことを知らされることもなく、またそのことに気づくこともなく、何の防護もなくこれらの有害な気体に晒されることになる。
【００２０】
また、これらの有毒な気体は、輸送される製品から放たれる気体と混ざり合って、爆発性の混合物となり、コンテナを開けると同時に爆発することもある。
【００２１】
‐コンテナのメンテナンスに関わる制約
海水しぶきと向かいあうゴムパッキンの脆弱性にかかわらず、良好な封止を保証できるようにするために、コンテナのメンテナンス（床の交換、塗装、溶接等）が、コンテナ代の１／３に相当することもある。メンテナンス中のコンテナが移動できないことによる金銭的な影響は言うまでもない。コンテナの寿命は、きちんとメンテナンスをしたとしても最長で１０年〜１５年を超えない。
［背景技術］
海洋汚染の問題を解決するために、フランス特許第２９７１７７７号は、海上で回収しやすく、また、回収速度を早め、これにより中身や被覆材が海洋汚染することを防ぐことができる自己完結型浮体構造物に変わるコンテナを提案する。当該コンテナは、ポリマーまたは複合材であって、よく浮かせることができる軽量素材で作られていてもよい。当該コンテナは、ｎ個の箱を積み重ねたもので形成されており、それらの箱のうちの少なくとも１つは中央にある。これらｎ個の箱は、互いに繋げて配置されると、そのように配置されていないときの当該コンテナの縦の寸法および／または横の寸法より大きな縦の寸法および／または横の寸法を有する剛性浮体構造物を形成する。
【００２２】
しかしながら、このようなｎ個の箱を結合することによる上記コンテナの問題解決策は、コンテナ内部空間の区画化を伴う。これは、特定の製品を輸送するのには適しておらず、また、健康被害や上述の陸上輸送における危険の問題を解決するものでもない。
【００２３】
コンテナ内の荷重分散に関する問題を解決し、それによりコンテナの陸上輸送に関連する危険を回避するために、ＦＲ３００５９３８の文献は、最大積載時（例えば、外国への運送航海中）に対応した最大長と最小積載時（例えば、当初の物品を降ろしてコンテナを空にし、より嵩みにくいものを代わりに入れて帰航中）に対応した最小長との間で長さを変えることができるコンテナを提案する。当該コンテナもプラスチック材から作られていてもよい。このコンテナは、メンテナンスを容易にする。
【００２４】
この解決策は、輸送自体に関連する危険を減らすという点では比較的満足のいくもののように見えるが、労働者および消費者の健康に関する問題については言及していない。
【００２５】
また、ＥＰ１１７９９７８の文献は、海上輸送用のコンテナを提案している。このコンテナの内部空間は、輸送され燻蒸消毒される製品が置かれる燻蒸消毒室と燻蒸消毒制御室とに分けられている。一旦燻蒸消毒が行われると、当該コンテナの上記内部空間の毒性を減じるために、燻蒸消毒用の気体は、ファンで外の大気中に排出される前に、活性炭吸着床によって浄化される。しかし、浄化済みであってもこれらの気体を大気中に排出することは、環境の観点（フィルタの飽和のリスク、良好とはいえない浄化のリスク、および汚染のリスク）から十分な解決策ではない。
［発明の概要］
本発明の目的は、以下の全てを可能にする問題解決策のコンテナを提案することによって上述の欠点を克服することである。
【００２６】
‐海で回収しやすく、海に落下した場合を含め信頼性が高い、
‐商業スピードを落とすことなく、用いられる全輸送方式において、輸送に関わる固定費（エネルギー）削減に関与、
‐コンテナを扱う人達、コンテナの検査を行う人達（および最終使用者）の保護、
‐現行の基準に適合させるために、寸法と取扱および輸送の機能性との観点においてコンテナに変更を加える必要がない。
【００２７】
本発明は、製品を輸送するのに用いられる積み重ね可能なコンテナに関する。上記目的を達成するために、上記コンテナは、
主にプラスチック材から作られ、互いに封止固定された底部と４つの側壁と上壁とを規定するクレートを形成する部分と、
上記クレートを封止閉鎖し、閉められると上記クレートとともに封止された箱を形成するドアと、
閉鎖された上記箱に含まれる気体を吸気かつ圧縮するシステムと、
吸気かつ圧縮された上記気体を収容し、上記箱に固定され、輸送中は固定枠を形成し、上記コンテナが水に浸かると浮標を形成する少なくとも１つの気密ケーシングとを備える。
【００２８】
このように定義された本発明は、上述した主な構成要素によって、上記箱の内部空間の気体が吸気されるために健康面の安全性を保障し、製品はくさび止めされるために安全な輸送を保障し、また上記コンテナが比較的軽量で浮標も存在するために海上での素早い回収を保障しながら、スチール製のものに比べて比較的軽量でメンテナンスがしやすい構造を有することができる。
【００２９】
さらに、本発明は、以下に記載のさらなる特徴のうちのいずれかまたは全てを有する。
【００３０】
‐閉鎖された上記箱に含まれる上記気体を吸気かつ圧縮する上記システムおよび／または吸気かつ圧縮された上記気体を収容する密封された上記ケーシングが、上記箱内に配置されている。
【００３１】
‐密封された収容用の上記ケーシングは、この袋が一旦膨張すると輸送される上記製品を止めるための手段として役立つことができる上記箱の内部空間の領域に、固定されている。
【００３２】
‐密封された収容用の上記ケーシングは、上記箱内に着脱可能に固定されている。
【００３３】
‐上記気体を吸気かつ圧縮する上記システムは、上記気体を吸気かつ圧縮する上記システムによって吸気された上記気体を分析する分析器を備える。 
【００３４】
‐上記分析器は、吸気された上記気体の分析の結果と、中毒性物質等の既知の標準成分の存在および／または人の存在下における同様の状況下で得られた分析結果をリスト化したデータベースとを比較するユニットを備える。
【００３５】
‐上記箱の底壁は、統合（一体化）された重量センサを備える。
【００３６】
‐上記コンテナの上記クレートは、成形によって得られる。
【００３７】
‐上記クレートは、材料を中空の平行六面体形状に成形することによって一体成形物として形成されている、または、
上記クレートは、組み立てを可能にする封止結合部を上記側壁と上記底部との間に規定する平面形状に材料を成形することによって得られた複数の壁または複数のパネルを集めて、平行六面体形状に組み立て、そして封止結合部によって連結されていない隣り合う壁同士を封止固定することによって形成されている。
【００３８】
‐上記箱は、少なくとも上記上壁にソーラーパネルを備える。
【００３９】
‐上記コンテナは、上記コンテナの積み上げを可能にする複数のコーナー部、および／または、
ひずみ計等の重量センサ、および／またはソーラーパネルを連結するシステムを備え、上記コーナー部、上記計器または上記システムは、上記クレートと共成形またはオーバーモールディング成形される。
【００４０】
‐上記ドアは、成形によって得られ、上記ドアにちょうつがいをつけるための枠は、上記ドアと共成形またはオーバーモールディング成形される。
【００４１】
‐上記コンテナは、上記箱の上記内部空間にアクセスできる外部ハッチを備える。上記外部ハッチは、開いた状態にて、中毒性物質および／または人の存在を検出する、ロボットまたは小動物等の可動体が上記内部空間に入れる。
【００４２】
‐上記箱の上記複数の壁は、プラスチック材、プラスチックと金属との複合材、またはプラスチック材を基とする環境に配慮した材料から形成される。
【００４３】
‐上記プラスチック材は、発泡ポリスチレンまたはポリスチレン発泡体からなるタイプのポリマー、ポリウレタン、ポリスチレン、エポキシ樹脂、低濃度ポリエチレン、高濃度ポリエチレン、超高モル質量を有する超高分子量ポリエチレン（ＵＨＭＰＥ）、ポリフェニレンスルフィド、ポリエーテルエーテルケトン（ＰＥＥＫ）、または生体高分子によって形成される。
【００４４】
‐上記箱の上記複数の壁を構成する上記材料は、ガラス繊維、炭素繊維、黒鉛繊維、ガラス織物、またはエポキシ樹脂織物で補強され、または臭素で補強され、あるいは抗紫外線処理される。
【００４５】
‐上記クレートの上記底部は、木材から、または木材繊維に用いられるプラスチック樹脂を含む複合木材から形成される。
【００４６】
‐封止された上記箱は、上記箱の上記複数の壁を形成するパネルが固定される梁および横材（５３、５４、５５）によって形成される金属の枠組み（５２）を含む。
【００４７】
‐上記箱は、上記ドアにちょうつがいをつけるための複数の枠（５１）であって、金属、セラミック、または剛性プラスチック材からできた複数の枠を含む。
【００４８】
‐上記箱は、上記コンテナを、別のコンテナにしっかりと固定しかつ／または別のコンテナの上に積み上げられるようにする複数のコーナー部であって、金属、セラミック、または剛性プラスチック材からできた複数のコーナー部を含む。
【００４９】
‐気密な上記ケーシング（１３）は、製品を保管するための内部空間を規定する主部（８１）と、上記主部に固定された複数の区画化挿入物（８３）を設けられ、壊れやすい製品を保管するための区画を前記複数の区画化挿入物（８３）とともに規定する副部（８２）とを備える。
【００５０】
‐上記複数の挿入物は、吸気かつ圧縮された気体を収容する複数の気密ケーシングからなる。
【００５１】
‐上記複数の挿入物は、区画を規定するその内側面に、壊れやすい製品を保護するための、ネオプレン類でできた保護材（８４）を含む。
［図面の簡単な説明］
本発明のその他のデータ、特徴および利点は、本発明の非限定的な例示的実施形態を示す添付図面を参照して、以下の非限定的な説明を読むことによって明らかになるであろう。
［図１］〜［図５］従来技術に係るコンテナを示す図である。
［図６］気密ケーシングのない、本発明に係るコンテナの開いた側の概略正面図を示す。
［図７］コンテナの内部空間内に吸気された気体で膨張した気密ケーシングを有する上記コンテナを示す、図６に類似した図である。
［図８］頂部の一部を切り取って吸気システムが見えようにした、本発明に係るコンテナの概略斜視図を示す。
［図９］上記吸気システムを中心にした、図１０の拡大図である。
［図１０］および［図１１］本発明に係るコンテナの箱を備え付けることができ、当該コンテナのプラスチック材からできた壁が固定される金属枠または枠組みの２つの変形をそれぞれ示す概略斜視図である。
［図１２］本発明に係るコンテナの箱の開閉ドアにちょうつがいをつけるための枠の各種金属、セラミックまたはプラスチック製の部品の斜視図を示す。
［図１３］本発明の第１の変形実施形態に係るコンテナの箱の壁の斜視図を示す。
［図１４］本発明の第１の変形実施形態に係るコンテナの箱の壁の側面図を示す。
［図１５］本発明の第１の変形実施形態に係るコンテナの箱の壁の平面図を示す。
［図１６］本発明の第２の変形実施形態に係るコンテナの箱の、複数の内部小穴を有する壁の斜視図を示す。
［図１７］本発明の第２の変形実施形態に係るコンテナの箱の、複数の内部小穴を有する壁の斜視図を示す。
［図１８］吸気された気体を収容するための気密ケーシングであって、壊れやすい輸送製品を個別に保護するためにコンテナ内部空間を区画化する気密ケーシングの変形実施形態を示す。
【００５２】
図１０によれば、本発明は、上記にて定義したＩＳＯコンテナに関する。当該ＩＳＯコンテナは、ドア２によって閉じられるほぼ平行六面体の主クレート１を備え、当該クレートは、輸送製品４を支える底壁３と、換気装置（図３の丸で囲んだ挿入部）を備えた２枚の側壁６および７と、上壁５と、上記ドア２によって閉じられる開口部に対向する壁８とを規定する。上記ドア２で閉じられると、上記クレート１はコンテナ箱１２を形成する。
【００５３】
上記コンテナは、既存のコンテナに関連する、製造時に効力のある基準（例えば、ＩＳＯ６６８：１９９５、とりわけその付録Ａ）に従って、従来の方法で、別のコンテナへのしっかりとした固定および／または別のコンテナ上への積み上げ（その逆も同様）を可能にするコーナー部９（特に図４に示す）をさらに備える。このように、上記コンテナは、その上面および／またはその底面に少なくとも４つのコーナー部９を備える。
【００５４】
この種のコンテナに対して、必要な強度とともに、比較的軽量な構造、スチール製のコンテナと比べた場合のメンテナンスのしやすさ、燻蒸消毒気体に対する健康面の安全性、より安全な輸送、および海上での回収のしやすさを保証するために、本発明に係るコンテナは、複数の壁が互いに気密固定されかつ主にプラスチック材でできているクレートを備え、当該コンテナは、図６〜図１１に示すように、閉鎖された箱に含まれる気体を吸気かつ圧縮するシステム１１をさらに備える。当該システムは、吸気かつ圧縮された気体を収容する複数の気密ケーシング１３へ当該吸気かつ圧縮された気体を運搬する手段を備えている。上記複数の気密ケーシング１３は、上記箱に固定され、輸送中には製品をくさび止めする複数の袋を形成し、上記コンテナが水に浸かった場合には複数の浮標（ブイ）を形成する。
【００５５】
図示されるように、これらのケーシング１３は、収縮した状態（不図示）で収縮した袋の形状をしており、図７に示すように展開された状態では、上記コンテナの上記箱の（図示された例における、上記側壁、上記上壁および（床下張の下の）上記底壁の）少なくとも１つの内壁に沿って伸びる緩衝物の形状をしている。これらのケーシングは実際に、上記箱の内容積に過度の影響を及ぼすことなく上記輸送製品を最適にくさび止めできる領域に固定される。例えば、上記コンテナの上記底壁３において、上記製品が置かれる領域と、膨張した上記袋を受け入れるために必ず空けられる領域とが規定される。
【００５６】
上記ケーシングは、上記コンテナから外すことができる、不浸透性の縫い目を有する、膨脹可能な工業用織物からなる。上記ケーシングを設けることができるように、上記コンテナの内壁には、例えばＴ字型の断面形状を有する凹部２０が設けられている。上記ケーシングは、上記凹部２０にかみ合って固定される突起部３０を備える。
【００５７】
図示した例において、上記気体吸気圧縮システム１１および／または上記気密気体収容ケーシングは、上記箱内に配置されている。上記システムは、ベンチュリ管１１であってもよく、または、適切な冷凍システムまたは食品真空装置等の、気体の再注入をする別の装置で置き換えられてもよい。
【００５８】
好ましくは、吸気された気体を捕捉するセンサ９１を備える当該気体の分析器（図７参照）が、上記コンテナの外側から（例えば、ハッチ５０から）アクセスできる接続部を上記ケーシングおよび／または気体吸気管内にはじめに設けてもよい。上記接続部には、上記コンテナを開ける前の上記気体と閾値への適合性とを分析するための分析末端装置９０をオペレーターが接続できる。
【００５９】
変形実施形態では、上記ケーシングおよび／または上記気体吸気管内に、付属センサを封止導入するための開口部が設けられ、これにより当該センサと当該センサに関連した分析端末装置とを与えられたオペレーターが、上記コンテナを開ける前の上記気体と上記閾値への適合性とを分析することを可能にする。
【００６０】
上記気体の分析には、熱脱着、ガスクロマトグラフィ（必要に応じて、質量分析を伴うガスクロマトグラフ（ＧＣ‐ＭＳ））等の各種気体分析技術が特に好適である。
【００６１】
上記気密収容ケーシングは、洗浄目的で上記箱から取り出すことができるように、上記箱内にて着脱可能に固定されていることが理想的である。
【００６２】
上記気体吸気圧縮システムは、燻蒸消毒用の気体と上記製品から放たれた気体とが上記複数の袋または複数の緩衝物１３に確実に捕えられるように、燻蒸消毒後および／または上記コンテナの輸送のため上記ドアが閉められた直後に、作動されてもよい。
【００６３】
上記吸気された気体は、分析器によって分析され、その分析結果は、上記コンテナから入手できるか上記コンテナの外部へ送信できるのが理想的である。
【００６４】
各気密ケーシングには、その中身を空にするために開閉可能な開口部を設けることができる。当該開口部は、上記気体が無害なものであれば上記気体を外部に排出するために上記気体を回収する管への接続部として或いは上記気体が汚染されていれば上記気体を収容／回収／処理するために上記気体を回収する管への接続部として機能することができる。
【００６５】
上記分析器は、中毒性物質等の標準成分および／または人の存在下において同様の条件（同じ内容積、同じ数の袋の存在等）下で得られた分析結果をリスト化したデータベースと吸気された気体の分析結果とを比較し、その比較結果が上記コンテナ内に中毒性物質、人または動物が存在することを示す傾向にある場合に、警告メッセージを送るユニットをさらに備えていてもよい。
【００６６】
上記コンテナは、概略的に示されたソーラーパネル１４等の有益な技術的構成要素を備えていてもよい。例えば、上記コンテナ（図１０）外に、リン光を発する枠３２に保持された複数の光電池３１が設けられていてもよい。上記光電池３１は、測定装置（センサ、計器、ドアスイッチ、およびアラーム）への供給を行う構成要素に接続されている。当該構成要素としては、上記コンテナ内に、例えば、開閉側の封止部近くに配置された収納箱３５に入れられたインバーター３３（図１１）とバッテリー３４（図１）とが備えられたシステムが挙げられる。
【００６７】
上記ソーラーパネルは、上記コンテナの上記上壁および／または上記側壁の肉厚部分と一体化されていてもよく、そうすると有利である。
【００６８】
特に好適なソーラーパネルのタイプとしては、リチウム電池ソーラーパネルがある。
【００６９】
理想的には、これらのソーラーパネルは、上記コンテナを輸送する特に車両や船舶といったいかなるタイプの設備にも電気エネルギーを供給できるように、適切なケーブルおよび接続部を介して、例えば上記ハッチ５０を介してアクセスできる接続システムに接続されてもよい。
【００７０】
輸送前、特に海上輸送前に、示された総重量に適合しているかを確認する目的で輸送される製品の総重量を取得するために、オペレーターが分析端末装置（９０）を接続できる接続部であって、上記コンテナ外から（例えば、ハッチ５０から）アクセスできる接続部を有する、例えば床（図５）内に配置された複数の重量センサまたは複数のひずみ計９２をその他の有利な技術的構成要素が備えていてもよい。上記床が、それぞれセンサを備えた複数の組立板で構成される場合、特に陸路での陸上輸送において輸送される製品の重量の上記床における分散を最適化するために、その分散状態を得ることができる。
【００７１】
変形実施形態では、上記ケーシングおよび／または上記気体吸気管内に、取り付けセンサを封止導入するための開口部が設けられ、これにより当該センサと当該センサに関連した分析端末装置とを与えられたオペレーターが、上記コンテナを開ける前の上記気体と上記閾値への適合性とを分析することを可能にする。
【００７２】
上記クレート１および上記ドア２は、機械的強度の高いプラスチック（理想的には、必要な技術的性能を達成することを可能にする厚さを有するポリエチレンテレフタレート（ＰＥＴ））からできているので、上記クレートは、以下により有利に得ることができる。
（ｉ）平行六面体形状の一体成形物（上記ドアを含まない）として直接的に成形すること、または、
（ｉｉ）組み立てを可能にする封止結合部（その厚さは、例えば、プラスチック材より薄い）を側壁と底部との間に規定する平面形状に成形し、それから平行六面体形状に組み立て、そして、封止結合部によって連結されていない隣り合う壁同士を封止固定すること。本実施形態によれば、上記ドアは、上記クレートと一体的に形成することができる。
【００７３】
このような成形の場合、上記コンテナの積み上げを可能にする上記複数のコーナー部９、および／またはひずみ計等の重量センサ、および／またはソーラーパネルを接続するためのシステムが、上記クレートと共成形またはオーバーモールディング成形されてもよい。
【００７４】
同様に、上記ドアの開閉のための（理想的にはセラミック製の）枠は、上記ドアと共成形またはオーバーモールディング成形される。
【００７５】
中毒性物質および／または人の存在を検出する、ロボット、小動物または検査装置等の可動体が内部空間に入れるように、上記コンテナは、上記箱の上記内部空間にアクセスできる外部ハッチ５０（図１０）をさらに備えていてもよい。当該外部ハッチ５０は、開いた状態にて、上記可動体を通過させ、閉じた状態では、上記内部空間の不浸透性を与える。当該ハッチは、約５０センチメートルで、上記コンテナの上記側壁からアクセスできる。また、当該ハッチは、スイッチキーよって開けることができ、当該スイッチキーは、スイッチに挿入されると、窃盗の試みを防止するアラーム（例えば、警告音）を作動させる。検査員のみが上記スイッチキーを使用することを許される。
【００７６】
〔箱の一般構造〕
（１）本発明に係る上記コンテナの上記箱は、主にプラスチック材からなる。これは、プラスチック材、または繊維または他の成分で強化されたプラスチックでできた自立する剛体の複数の壁と、前記壁より少ない量で、プラスチックの他に金属（またはセラミック）等でできた、上記コーナー部９または図１２に示された枠体等の部品とを組み立てることによって上記コンテナが形成し得るものであることによる。
【００７７】
この場合、上記クレート（上記閉鎖ドアを除く側壁、上記ドアに対向する壁、および任意で底部３）は、（ｉ）熱可塑性材料を中空の平行六面体形状に成形することによって一体成形物として形成できる、または（ｉｉ）組み立てを可能にする封止結合部を上記複数の側壁と上記底部との間に規定する平面形状に熱可塑性材料を成形することによって得られた複数の壁を集めて、封止結合部によって連結されていない隣り合う壁同士を封止固定で平行六面体形状に組み立てることによって形成できる。
【００７８】
（２）図１０および図１１に示された上記変形実施形態によれば、上記クレートは、他方で、平行六面体を規定する複数の枠を形成する複数の梁５４および複数の直立材５５と、上記底部３および上記上壁５で各々の２本最長梁同士を連結する複数の横材５３とからなる金属の枠または枠組み５２を含む複合材から形成される。図１１は、上記枠組みが、複数の中央直立材５６と、梁と直立材との間の角部を形成する支持桁５７とをさらに備える変形例を示す。
【００７９】
プラスチック材またはプラスチック材を基とする複合材から作られた、側壁と、上壁と、上記ドアを形成する壁とは、上記箱を形成するために当該枠を補う。
【００８０】
床５７は、底面の横材によって支えられるか、木材、または木材繊維に使われるプラスチック樹脂を含む複合木材から形成される。
【００８１】
様々な構成要素同士を接合するのに、ネオプレンを用いることができる。
【００８２】
〔使用可能なプラスチック材の種類〕
上記クレートと上記クレートを閉じる上記ドアとが、枠組み、補強材および／または金属枠を備えていようとなかろうと、上記壁または上記壁を形成するパネルは、主にプラスチック材から形成され（当該プラスチック材が、７０重量パーセントより多い、好ましくは８０重量パーセントより多い、さらに好ましくは９０重量パーセントより多い）、プラスチック材またはプラスチック材を基にする環境に配慮した材料からなる。上記プラスチック材は、発泡ポリスチレン類またはポリスチレン発泡体のポリマー、ポリウレタン、ポリスチレン、エポキシ樹脂、低濃度ポリエチレン、高濃度ポリエチレン、超高モル質量を有する超高分子量ポリエチレン（ＵＨＭＰＥ）、ポリフェニレンスルフィド、ポリエーテルエーテルケトン（ＰＥＥＫ）、または生体高分子によって形成されていてもよい。上記箱の上記複数の壁を形成する上記材料は、ガラス繊維、炭素繊維、黒鉛繊維によって、ガラス織物、エポキシ樹脂織物によって、または臭素によって補強され、あるいは抗紫外線処理される。
【００８３】
図１３〜図１５に示された例において、上記コンテナの壁を形成するプラスチック材は、サンドイッチ構造６０を有する。
【００８４】
図１３によれば、上記構造は、内部絶縁層、とりわけ断熱層６１を含む。上記内部絶縁層は、例えば、上記パネルに剛性を与える２枚のシート６２に挟まれた発泡ポリスチレン（ＥＰＳ）材発泡体等でできている。また、上記２枚のシート６２は、例えば、ポリウレタン（ＰＵ）、押出発泡ポリスチレン（ＸＰＳ）、またはポリスチレン（ＰＳ）類でできている。
【００８５】
上記内部絶縁層の発泡プラスチックは、成形された発泡プラスチックでできた２つの部分、複数の小穴（胞状部）を有する下部と、当該下部を覆って当該下部に合わさる上部とを含むと有利である。
【００８６】
また、外側のシートは、抗紫外線処理が施されたガラス繊維、繊維強化プラスチック（ＦＲＰ）でできた厚さ５０ｍｍ〜１００ｍｍのパネルで構成されていてもよい。
【００８７】
使用される上記パネルの全体の厚さは、必要な断熱度合、および／または輸送製品の梱包、および／または上記コンテナの必要な内容積に合わせて、４０ｍｍ〜３５０ｍｍとなってもよい。
【００８８】
２枚の連続するパネルは、並列に組み立てられて、封止剤および／または伸縮継手の挿入によって２枚１組で固定される。
【００８９】
図１４Ａによれば、上記複数の剛性シート６２とその間に挟まれる上記内部絶縁層６１との構成により、同じ型の２枚の隣接するパネル６０を横方向にぴったりと合わせることが都合よくできる。上記内部絶縁層６１は、一方側で、上記複数の剛性シート６２の横方向の端部に対して横方向に突出し、上記側では、別の隣接するパネルの内部絶縁層６１の突出部を受け入れるための空間６３を残す。そして、２枚の隣接するパネルは、一方のパネルの複数の剛性シート上に接する内部絶縁層の突出部の端部で、例えば、接着剤結合または積層結合することによって組み立てられる。
【００９０】
一方、図１４Ｂによれば、上記内部絶縁層６１は、上記複数の剛性シート６２より短い。そのため、２枚の隣接するパネルは、剛性シート６２に接触する端部で、例えば、接着剤結合または積層結合することによって組み立てられる。
【００９１】
図１４Ｃに示された提案には、互いに同じ長さの内部絶縁層６１と複数の剛性シート６２とが備えられる。その結果得られたパネルは、その端部において、隣接する同じ型のパネルに、例えば、接着剤結合または積層接着することによって固定される。
【００９２】
２枚の連続するパネルは、並列に組み立てられて、封止剤および／または伸縮継手の挿入によって２枚１組で固定される。
【００９３】
図１５は、コンテナを形成するためにパネル同士を並置してぴったりと合わせることができる合わせ方を示す。
【００９４】
当該パネルは一般的には事前に作成されており、４０ｍｍ〜３５０の厚さである。
【００９５】
当該パネルの材料は、ＩＳＯ２００９：２００８に適合する断熱性を有する。
【００９６】
上記部品が容易に組み立てられることを確実なものとすることによって、組み立ての機械化が容易になることが利点である。
【００９７】
図１６および図１７に示された例において、上記コンテナの壁を構成する上記プラスチック材は、繊維強化プラスチック（ＦＲＰ）類のパネルを構成する。
【００９８】
図１６（ａ）は、ガラス繊維によって強化されたプラスチックシート７１と、不織布７２と、ポリプロピレンシート７３と、ポリプロピレンのハニカム構造７４とからなるサンドイッチハニカム構造を示す。
【００９９】
図１６（ｂ）は、ポリプロピレン（ＰＰ）シート７３と、ポリプロピレン（ＰＰ）織物７６またはガラス繊維層と、ポリプロピレン（ＰＰ）シート７３と、ポリプロピレンハニカム構造７４とが連続して構成されるサンドイッチハニカム構造を示す。
【０１００】
この種の、抗紫外線処理が施されたＦＲＰまたはガラス繊維強化プラスチックとしては、以下のものが挙げられる：
・ＦＲＰ-４、ＦＲ-４、
これは、ガラス繊維で強化されたエポキシ樹脂複合材である。その性質は、その構造の方向（繊維に対して平行であるか垂直であるか）によって変わる、
・ＦＲ-４  ＥＳＤ、
この材料は、外気温度にて高い機械強度を有する、
・ＦＲＰ-００７、
・層状ゲルを有するまたは有しないＦＲＰ。
【０１０１】
図１７によれば、この材料は、垂直に隣接する２つの壁７７と角部７８における中間部とを規定するように形作られかつ折り曲げられている。それによって、この材料は、本発明に係る上記コンテナの上記クレートを形成するのに完全に適している。互いに垂直になるように上記壁を保持するために、金属補強材７９が取り付けられてもよい。
【０１０２】
使用可能なその他の種類のプラスチック材としては、低濃度ポリエチレン（ＬＤＰＥ）および高濃度ポリエチレン（ＨＤＰＥ）が挙げられる。
【０１０３】
特に、高濃度ポリエチレンは、アルカリ性の環境の影響に対して処理され、優先的に用いられる。
【０１０４】
ガラス織物、エポキシ樹脂織物、および／または臭素がさらに加えられてもよい。
【０１０５】
さらに、押し出しまたは歪み取りが行われてもよい。
【０１０６】
ポリエチレン回転成形物は、抗腐食性があり、腐食に反応しにくいので、選択可能である。それらは、自然色であり、衝撃やひっかきに影響されない。
【０１０７】
それらは、溶媒や炭化水素に対して耐性がある。これらの製品は、軍用規格（ＭＩＬ−ＳＴＤ）８１０Ｇ（環境抵抗）に適合するようにオーダーメイドできる。
【０１０８】
熱形成により得られた高濃度ポリエチレン（ＨＤＰＥ）は、油、溶媒および炭化水素に耐性があるだけでなく、撥水性もあり、かつ化学製品、磨滅や摩耗に対しても耐性があるため、選択可能である。また、当該高濃度ポリエチレン（ＨＤＰＥ）は、耐衝撃性に優れ、軽量である。また、当該高濃度ポリエチレン（ＨＤＰＥ）の、吸湿性は低く、引張強度は高い。さらに、当該高濃度ポリエチレン（ＨＤＰＥ）は、毒性がなく、かつ無色である。
【０１０９】
超高モル質量を有する超高分子量ポリエチレン（ＵＨＭＰＥ）を用いることも推奨される。
【０１１０】
・ポリフェニレンスルフィド（ＰＰＳ）
これは、非常に優れた電気的絶縁性および良好な硬度および剛性を有し、高熱変形、気候による影響、および化学薬品に対して非常に高い耐性を有する。北西航路等の特定の民間使用に好まれる。
【０１１１】
・ポリエーテルエーテルケトン（ＰＥＥＫ）
膨張率を下げかつ曲げ弾性率を上げるために特にガラス繊維が加えられたＰＥＥＫ。当該ＰＥＥＫに炭素繊維および黒鉛繊維を加えて、ポリテトラフルオロエチレン（ＰＴＦＥ）を生成してもよい。例えば、軍の要望（武器）等、極めて特殊な用途に好まれる。
【０１１２】
・環境に配慮した材料、つまりバイオプラスチック
例えば、生物分解性ＥＣＯＧＥＨＲ（登録商標）プラスチック類が挙げられる。
【０１１３】
ＰＬＡ-Ｌ、つまり再生可能原料に基づく任意のバイオポリマーを用いてもよい。
【０１１４】
射出、吹き込み成形によって得られる、中空構造を有する再生可能なポリプロピレンは、環境に優しい有利な代替材である。
【０１１５】
これにより、製品に対して一定の安定性をもたらすハニカム構造であって、機械部品や工具等の重いものを収容可能にするハニカム構造を有する補強枠を備えた物体を得ることができる。
【０１１６】
〔気密ケーシングの構造〕
膨脹可能なケーシングの目的は、物品が輸送中に動かないように物品をくさび止めすることである。このケーシングが十分に丈夫でなければ、物品の中にはケーシングを破りやすいものもある。早期のケーシング損傷は、ケーシングの膨脹工程中、または物品が圧迫される状況下で起こりうる。もし物品が適切にくさび止めされていなければ、上記物品が動き、上記構造物全体にダメージを与えうる。
【０１１７】
そのため、上記ケーシングの膨張や物品のくさび止めをする工程は、必須である。当該工程は、梱包された物品が存在する周囲空気を吸気する電気機械システムによって行われる。ケーシング内に移動した空気は、物品が配送または税関検査で荷ほどきされるまで当該物品を多かれ少なかれ圧迫して固定する。
【０１１８】
最も好適な織物としては、ポリ塩化ビニル（ＰＶＣ）があり、好ましくは難燃性の、任意で抗紫外線処理が施され、好ましくは被覆されたＰＶＣである。場合によっては、製品を保護するためにＰＶＣの内側の肉厚部分を増加してもよい。衝撃を吸収することによってケーシングをよりよく保護するために、この肉厚部分は、例えばネオプレン（ポリクロロプレンを基とするゴム）で作ってもよい。
【０１１９】
他の好適な織物としては、優れた技術的絶縁性を確保しかつ摩耗に耐えられるように、縫合または工業溶接によって作られた不浸透性の多層キルト織物がある。
【０１２０】
上記織物が織物パネルの形態で用いられる場合、当該パネルは、封止および伸縮継手を用いて結合され、縫合または工業溶接によって組み立てられる。
【０１２１】
また、この材料は、以下の類の性質を有する。軽量、熱絶縁性、弾性、破砕や損傷に対する耐性。そのため、当該材料は、難燃性の、いわゆる工業織物であるが、コンテナ内に位置するので必ず抗紫外線処理が施される。必要であれば、ポリウレタン（ＰＵ）の被覆を考えてもよい。また、組織、目開き、断裂抵抗、弾性、織り方、通気性、厚さ、抽出物の割合、および重量の点において、特定の基準に適合しなければならない。現時点における現行の基準としては、ＮＦ  ＥＮ  １０４９／ＮＦ  Ｇ０７−１５５、ＮＦ  ＥＮ  ＩＳＯ  １３９３４−１／ＮＦ  Ｇ０７−００１、ＮＦ  Ｇ０７−１１１、ＮＦ  ＥＮ  ＩＳＯ  ９２３７、ＡＳＴＭＤ２２５７、ＩＳＯ  ３８０１／ＮＦ  Ｇ０７−１５０／ＮＦ  ＥＮ  ＩＳＯ  ５０８４／ＮＦ  Ｇ０７−１５３等が挙げられる。
【０１２２】
空気をよりよく循環させるため、かつ、とりわけ湿気の元が作られる空間が形成されることと空気の吸気中に起こる可能性がある特定の製品の破砕も防ぐために、実際に膨脹可能構造物の中に壊れやすい要素のためにケーシングに固定された可撓性のある変形可能挿入物を挿入することができる。
【０１２３】
従って、図１８に示されるように、吸気された気体を収容する封止されたケーシングの変形実施形態によれば、輸送される製品が壊れやすい場合にそれらの製品を個別に保護するために、吸気され圧縮された気体で膨張した補助ケーシングを用いることによってコンテナの内部空間を区画化する可能性が提案される。
【０１２４】
この目的のため、気密ケーシング１３は、製品８０を保管する内部空間を規定する主部８１と、副部８２とを備える。上記副部８２は、上記主部に固定された区画化挿入物８３を設けられ、かつ上記主部８１を介してあるいは独立して上記気体吸気圧縮システムと連通している。
【０１２５】
上記主部８１は、矩形シートで構成されていてもよく、当該矩形シートの外側縁は、（ドアを含む）上記箱の各壁の内面に封止固定されている。上記副部８２は、互いに固定された１つ以上の袋で構成されていてもよい。例えば、これらの袋は、上から見ると、互いに離間した矩形形状の外形を有する複数の通路（図１８（ａ）の３）を規定する。また、これらに垂直に、複数の直線状の袋が上記通路の長辺に垂直に配置される。これらの直線状の袋には、上記通路の複数の壁が通る複数のスロットが設けられている。上記通路の上記壁の高さおよび上記袋の高さは、製品の高さに合わせられる（図１８（ｂ）参照）。上記通路および上記袋は、上記主部の織物に固定されてもよく、この際、任意で、上記主部と気流連通しているかあるいは上記気体吸気圧縮システムと直接連通していてもよい。これは、コンテナ内の空気が吸気された（図１８（ｃ））時に、上記通路および上記袋が膨脹するように（図１８（ｄ））するためである。
【０１２６】
上記挿入物は、区画を規定するその内側面において、壊れやすい製品を保護するための、ネオプレン類でできた保護材８４を有することが理想的である。
【０１２７】
場合によっては、要望があれば、追加で保護材を取り付けてもよい。
【０１２８】
減圧器は、異物の混入、気体漏れ、および危険な過剰圧力を防止するように設計されなければならない。
【０１２９】
ケーシングに含まれる空気の出し入れを目的とする複数の開口部の複数の閉鎖部は、通常輸送状態では当該開口部が閉じかつ封止されたままになるように、設計されかつ製造される必要がある。また、当該複数の閉鎖部は、それら自体の設計で封止されるようになっている場合を除き、複数の封止部または何らかの封止要素を備えていなければならない。
【０１３０】
最後に、いかなる状況であっても、荷物を積む人は、可燃性であることが確認された製品をコンテナに入れた場合は、そのことをコンテナ取り扱い者全員に知らせなければならない。
【０１３１】
好適な実施形態によれば、上記コンテナは、自立型エネルギーにより電力が供給される（特にプラグ・アンド・プレイシステムの）汎世界測位システム（ＧＰＳ）ビーコン等の地理位置情報部を含んでいてもよい。
【０１３２】
本発明は、上記にて定義したＩＳＯに適合した複合一貫輸送用コンテナに限定されるものではなく、くさび止めされる製品の保管および／または輸送するためのあらゆるタイプのコンテナであって、当該コンテナによって規定される内部空間に含まれる気体が、健康被害および／または爆発の危険性を避けるために、好ましくは吸気されなければならないコンテナに関するものである。
【図面の簡単な説明】
【０１３３】
【図１】従来技術に係るコンテナを示す図である。
【図２】従来技術に係るコンテナを示す図である。
【図３】従来技術に係るコンテナを示す図である。
【図４】従来技術に係るコンテナを示す図である。
【図５】従来技術に係るコンテナを示す図である。
【図６】気密ケーシングのない、本発明に係るコンテナの開いた側の概略正面図を示す。
【図７】コンテナの内部空間内に吸気された気体で膨張した気密ケーシングを有する上記コンテナを示す、図６に類似した図である。
【図８】頂部の一部を切り取って吸気システムが見えようにした、本発明に係るコンテナの概略斜視図を示す。
【図９】上記吸気システムを中心にした、図１０の拡大図である。
【図１０】本発明に係るコンテナの箱を備え付けることができ、当該コンテナのプラスチック材からできた壁が固定される金属枠または枠組みの変形を示す概略斜視図である。
【図１１】本発明に係るコンテナの箱を備え付けることができ、当該コンテナのプラスチック材からできた壁が固定される金属枠または枠組みの変形を示す概略斜視図である。
【図１２】本発明に係るコンテナの箱の開閉ドアにちょうつがいをつけるための枠の各種金属、セラミックまたはプラスチック製の部品の斜視図を示す。
【図１３】本発明の第１の変形実施形態に係るコンテナの箱の壁の斜視図を示す。
【図１４】本発明の第１の変形実施形態に係るコンテナの箱の壁の側面図を示す。
【図１５】本発明の第１の変形実施形態に係るコンテナの箱の壁の平面図を示す。
【図１６】本発明の第２の変形実施形態に係るコンテナの箱の、複数の内部小穴を有する壁の斜視図を示す。
【図１７】本発明の第２の変形実施形態に係るコンテナの箱の、複数の内部小穴を有する壁の斜視図を示す。
【図１８】吸気された気体を収容するための気密ケーシングであって、壊れやすい輸送製品を個別に保護するためにコンテナ内部空間を区画化する気密ケーシングの変形実施形態を示す。
【図１】
2018512346.tif 000003
【図２】
2018512346.tif 000004
【図３】
2018512346.tif 000005
【図４】
2018512346.tif 000006
【図５】
2018512346.tif 000007
【図６】
2018512346.tif 000008
【図７】
2018512346.tif 000009
【図８】
2018512346.tif 000010
【図９】
2018512346.tif 000011
【図１０】
2018512346.tif 000012
【図１１】
2018512346.tif 000013
【図１２】
2018512346.tif 000014
【図１３】
2018512346.tif 000015
【図１４Ａ】
2018512346.tif 000016
【図１４Ｂ】
2018512346.tif 000017
【図１４Ｃ】
2018512346.tif 000018
【図１５】
2018512346.tif 000019
【図１６（ａ）】
2018512346.tif 000020
【図１６（ｂ）】
2018512346.tif 000021
【図１７】
2018512346.tif 000022
【図１８（ａ）】
2018512346.tif 000023
【図１８（ｂ）】
2018512346.tif 000024
【図１８（ｃ）】
2018512346.tif 000025
【図１８（ｄ）】
2018512346.tif 000026
【図１８（ｅ）】
2018512346.tif 000027
【国際調査報告】
2018512346.tif 000028
2018512346.tif 000029
2018512346.tif 000030
2018512346.tif 000031
2018512346.tif 000032
2018512346.tif 000033